(57)【要約】【課題】本発明は、ベタ掛け作業に採用される樹脂製ネット材を提供するものであり、一度播種した土壌上にベタ掛け（トンネルベタ掛けを含む）すればその後は基本的に掛け直す必要のない樹脂ネット材にかかるものである。【解決手段】播種した土壌表面へベタ掛けする樹脂ネット材であって、播種した畝の長手方向に対して伸びの少なく、畝の幅方向に対して伸びの大きい組織から構成させたトリコットハ−フ編物である樹脂ネット材であり、具体的にはナイロン繊維で編まれたトリコットハ−フ編の樹脂ネットが採用される。【選択図】図２
2004194507.tif 000002
【特許請求の範囲】
【請求項１】
播種した土壌表面へベタ掛けする樹脂ネット材であって、播種した畝の長手方向に対して伸びの少なく、畝の幅方向に対して伸びの大きい組織から構成させた編み物である播種土壌ベタ掛け用樹脂ネット。
【請求項２】
編み物がナイロン繊維である請求項１記載の播種土壌ベタ掛け用樹脂ネット。
【請求項３】
編み物がトリコットハ−フ編みである請求項１又は２記載の播種土壌ベタ掛け用樹脂ネット。
【発明の詳細な説明】
【０００１】
【発明の属する技術分野】
本発明は、農作物を播種した際に土壌表面にベタ掛け（トンネルベタ掛けを含むもので、以下本発明では単にベタ掛けという）用の樹脂ネットにかかるものである。
【０００２】
【従来の技術】
農作物特に葉物にあっては、外的な要因で売り物にならないケ−スが多く、鳥や青虫等によって葉が食べられてしまうことがある。このため、半円状の支柱を播種した畝に対して立設し、これに例えばポリプロピレン製のネット材や寒冷紗、更にはフィルムシ−トを掛けてトンネル状として保護する方法がある。
【０００３】
又、播種した畝を直接覆ういわゆるベタ掛けが行われる場合があり、これには例えばポリプロピレン製の不織布が主として用いられている。
【０００４】
これらの手段のうち、前者にあってはネット材やフィルムシ−トを掛け終るまでの作業がほとんど中腰での作業になるため、作業性の改善が求められている。
更に、これらが農作物に直接接触することは許されず、葉物に対してかなり背丈の高い支柱が求められるため、ネット材やフィルムシ−トが必要以上に使用されることとなりコスト高の要因ともなってしまう。尚、フィルムシ−トは通気性に欠け、水をやる場合には支柱から取り外さなくてはならないという問題があり、一方、ネット材は通常は１×１ｍｍ程度の目であるため、小さな害虫の侵入は防ぐことができないという問題点もある。
【０００５】
又、後者の場合には播種した作物の芽や葉の部分が触れても傷が付かないような柔らかい素材が用いられ、前記したように一般に不織布が使用されているが、この不織布は確かに作物の芽や葉に対しては柔らかく接し、傷を付ける危険性は少ないが、不織布自体の伸びは比較的少なく、従って、これを用いた場合には作物の成長につれて不織布を逐次掛け直す必要がある。そのため、播種した畝よりも予めかなり余裕をもたせて不織布をベタ掛けする必要がある。尚、前者に用いるネット材や寒冷紗等はそれ自体に伸びがなく、しかも作物の芽や葉に比べて硬度が高く、接触した際には芽や葉に傷を付けてしまうという欠点があり、基本的にベタ掛けには用いられない。
【０００６】
【発明が解決しようとする課題】
本発明は、上記のようなベタ掛け作業に採用される樹脂ネット材を提供するものであり、一度播種した土壌上にベタ掛けすればその後は基本的に掛け直す必要のない樹脂ネット材にかかるものである。
【０００７】
【課題を解決するための手段】
本発明の樹脂ネットは、播種した土壌表面へベタ掛けする樹脂ネット材であって、播種した畝の長手方向に対して伸びの少なく、畝の幅方向に対して伸びの大きい組織から構成させた編み物である樹脂ネット材であり、編み物がナイロン繊維であり、具体的には、トリコットハ−フ編のベタ掛け用樹脂ネットである。
【０００８】
【発明の実施の形態】
本発明のベタ掛け用樹脂ネットは、前記したように播種した畝へ直接或いはトンネル状にしてベタ掛けする樹脂ネット材であって、具体的には、ナイロン、ポリプロピレン等の合成繊維よりなるトリコット編、好ましくはトリコットハ−フ編の樹脂ネット材である。かかるトリコット編は縦方向に伸びの少なく、幅方向には極めて良く伸びる組織が配置されて編まれている。しかも、トリコットハ−フ編であるため極めて軽くソフトな感触があり、播種した植物の芽が触れても傷になることはなく、更に葉が伸びた場合でも樹脂ネットが幅方向にそのまま伸びるため、掛け直しする必要もなくなるという特徴がある。しかも、トリコットハ−フ編の編み目は好ましくは２３±２コ−ス×２８Ｇである。このため害虫の侵入はほとんどなく、更に、太陽光を遮る程度も１０％程度であり極めて好ましい樹脂ネットとなる。
【０００９】
本発明のベタ掛け用樹脂ネットの利用法について一例を述べれば、播種された畝に対し、その伸びの少ない縦糸を畝の長手方向に合わせ、その長手方向に合わせて支柱等にて固定し、幅方向はほぼ畝の幅方向の幅と同等の長さにて切断してそのまま固定せずにトンネル状にベタ掛けすることとなる。言い換えれば、本発明の樹脂ネットは縦糸方向は余り伸びがなく、作物の背丈の伸びに追従することができる程度のものであり、畝の長さに対してほぼその長さを維持するものであり、樹脂シ−トの長手方向両端即ち畝の両端を固定して使用に供される。一方、幅方向には伸縮性が大きく、作物の成長に対して完全に追従して作物全体を覆うことになる。
【００１０】
【実施例】
以下、本発明の好ましい例を図面をもって更に詳細に説明する。
本発明の（トンネル）ベタ掛け用樹脂ネット１０は、ナイロン製のトリコットハ−フ編製の樹脂ネットである。樹脂ネットを構成するナイロン繊維の太さは１７〜７８デシテックス（Ｔ）であり、この例では１７Ｔのものを用いた。又、編み目の大きさは２３±２コ−ス×２８Ｇであった。
【００１１】
そして、この樹脂ネット１０は長手（縦糸）方向Ｌには余り伸縮性がなく、ほぼその長さを保っているが、幅方向Ｗには伸縮性が大きく、大きな伸びがもたらされる。従って、図１に示すように、作物の種が播種された畝２０に対して畝の長手方向と樹脂ネットの長手方向即ち縦糸方向を合致させ、畝２０の幅方向に対しては樹脂ネットの伸びがもたらされる方向が合致するようにトンネルベタ掛けする。この際、樹脂ネット１０の固定は基本的には畝２０の左右幅方向端を針金等４０で、或いは土を掛けて固定すればよい。そして、作物３０の成長につれて図２に示すように樹脂ネット１０が伸び、樹脂ネット１０を張り直す作業は基本的に必要がない。
【００１２】
これに対し、不織布をもって直接或いはベタ掛けした場合には、その長手方向も幅方向もいずれも大きな伸びは期待できず、このため、作物３０の成長につれて不織布の掛け直しが必要であり、しかも常時不織布の周囲を抑えておく支柱や重りが必要となるという問題も残る。
【００１３】
本発明の樹脂ネット１０はトンネルベタ掛け用にも使用できることは勿論であり、図３にて示すようにトンネルを形成する支柱５０を畝２０を跨いで連設し、これを覆って樹脂ネット１０をかぶせることになる。
【００１４】
【発明の効果】
本発明は以上の通りであり、ベタ掛けに適した樹脂ネット材を提供するものであって、植物の成長に伴って樹脂ネットが自然に伸長するという特徴を有している。このため、農作業の手間が省け、鳥や害虫からも守ることができ、更には保温の面でも大きな特徴をも備えたものであり、その効果は顕著である。
【図面の簡単な説明】
【図１】図１は本発明の樹脂ネットをベタ掛けした際の状態図である。
【図２】図２は本発明の樹脂ネットと作物との関係を示す状態図である。
【図３】図３は本発明の樹脂ネットをトンネル状ベタ掛けをした際の状態図である。
【符号の説明】
１０‥樹脂ネット、
２０‥畝、
３０‥作物、
４０‥固定具、
５０‥トンネル支柱。
【図１】
2004194507.tif 000003
【図２】
2004194507.tif 000004
【図３】
2004194507.tif 000005